(57)【特許請求の範囲】
【請求項１】
建築物に対して外装化粧部材を施工金具によって取り付けてなる外装化粧部材の施工方法において，
上記施工金具は，上記建築物に固定する本体部と，該本体部において前方へ突出し上記外装化粧部材を支承するための支承部と，上記本体部の上方に設けられ上記外装化粧部材の上端面を覆う水切り部とを有し，
一方，上記外装化粧部材は，その裏面において上記支承部に支承されるための支承凹部を有しており、
上記施工金具を、固定具によって上記建築物に固定し、
上記外装化粧部材の上部を、上記施工金具の斜め下方より、上記施工金具の挿入凹部に挿入しながら、
上記外装化粧部材の上部を中心として上記施工金具側へ回転させて、上記支承凹部を上記支承部へ支承させ、
かつ，上記施工金具における上記水切り部と上記本体部との間の隣接部分に，上記施工金具と上記建築物との隙間を塞ぐためのシーリング材を施すことを特徴とする外装化粧部材の施工方法。
【請求項２】
請求項１において，上記水切り部と上記本体部との間の隣接部分には，上記シーリング材を施すためのシーリング受け段部を有することを特徴とする外装化粧部材の施工方法。
【請求項３】
請求項１又は２において，上記水切り部は，その先端部分に該水切り部を内側に折り返して形成した水返し部を有することを特徴とする外装化粧部材の施工方法。
【請求項４】
請求項１〜３のいずれか一項において，上記施工金具は，曲折することにより成形していることを特徴とする外装化粧部材の施工方法。
【請求項５】
請求項１〜４のいずれか一項において，上記支承部は，上記本体部を折り返すことにより成形していることを特徴とする外装化粧部材の施工方法。
【発明の詳細な説明】
【０００１】
【技術分野】
本発明は，建築物の表面に施工される幕板等である外装化粧部材の施工方法に関する。
【０００２】
【従来技術】
図９に示すごとく，従来より建築物２の表面に外装化粧部材９を取り付けることが知られている。また，隣接する外壁板２１の繋ぎ目部分２１２には水切り板９２を取り付け，上記繋ぎ目部分２１２から室内側へ水分が浸入しないようにしている。そして，上記水切り板９２は，その下方に位置する外装化粧部材９の上端面９１を覆っている。そのため，該上端面９１から水分が外装化粧部材９に浸透することを防ぐことができる。そのため，外装化粧部材９の耐久性を向上させている。
また，この外装化粧部材９は，釘等の固定具９３を介して上記外壁板２１の表面２１１に取り付けられている。
【０００３】
【解決しようとする課題】
しかしながら，上記従来の外装化粧部材９の施工構造においては次のような問題点がある。
即ち，水切り板９２が外装化粧部材９の取付けとは別に取り付けられているため，施工に手間がかかる。また，水切り板９２は，互いに隣接する外壁板２１の繋ぎ目部分２１２に設けられているが，この繋ぎ目部分２１２における外壁板２１の裏面と水切り板９２との間にできたわずかな隙間２１３より室内側へ水分が浸透していくおそれがある。
また，外装化粧部材９の意匠表面においては，釘等の固定具９３における釘頭部９３１が露出するため，外観意匠性を損ねるおそれがある。
【０００４】
本発明は，かかる従来の問題点に鑑みてなされたもので，施工が容易であり，外観意匠性に優れ，かつ，水分の浸入を確実に防止することができる外装化粧部材の施工方法を提供しようとするものである。
【０００５】
【課題の解決手段】
請求項１に記載の発明は，建築物に対して外装化粧部材を施工金具によって取り付けてなる外装化粧部材の施工方法において，上記施工金具は，上記建築物に固定する本体部と，該本体部において前方へ突出し上記外装化粧部材を支承するための支承部と，上記本体部の上方に設けられ上記外装化粧部材の上端面を覆う水切り部とを有し，一方，上記外装化粧部材は，その裏面において上記支承部に支承されるための支承凹部を有しており、上記施工金具を、固定具によって上記建築物に固定し、上記外装化粧部材の上部を、上記施工金具の斜め下方より、上記施工金具の挿入凹部に挿入しながら、上記外装化粧部材の上部を中心として上記施工金具側へ回転させて、上記支承凹部を上記支承部へ支承させ、かつ，上記施工金具における上記水切り部と上記本体部との間の隣接部分に，上記施工金具と上記建築物との隙間を塞ぐためのシーリング材を施すことを特徴とする外装化粧部材の施工方法にある。
【０００６】
本発明において最も注目すべきことは，上記施工方法は，上記施工金具を、固定具によって上記建築物に固定し、上記外装化粧部材の上部を、上記施工金具の斜め下方より、上記施工金具の挿入凹部に挿入しながら、上記外装化粧部材の上部を中心として上記施工金具側へ回転させて、上記支承凹部を上記支承部へ支承させることである。
【０００７】
次に，本発明の作用効果につき説明する。
本発明における上記施工金具は，本体部から形成された支承部及び水切り部を有している。そのため，施工金具は，本体部と支承部とによって外装化粧部材を建築物に取り付けることと，水切り部によって外装化粧部材の上端面を覆うこととの２つの役割を果たすことができる。即ち，水切り部が本体部及び支承部と一体的に作られている。そのため，水切り部は，本体部を建築物に固定することにより，同時に建築物に固定される。それ故，それらを建築物に容易に施工することができる。
【０００８】
また，上記外装化粧部材は，その上部を水切り部と本体部との間にできた空間に挿入させ，その支承凹部を支承部に支承させることにより建築物に取り付けられる。そのため，釘等の固定具を使用することなく，外装化粧部材を建築物に容易に取り付けることができる。
また，釘等の固定具が外装化粧部材の意匠表面に露出することがないので，優れた外観意匠性を呈することができる。
なお，外装化粧部材の形状に応じて，該外装化粧部材をその意匠表面より釘等の固定具で外壁板及び胴縁等に固定しても構造上は問題がない。
【０００９】
また，上記水切り部と本体部との間の隣接部分には，施工金具と建築物との間にできたわずかな隙間を埋めるようにシーリング材を施している。そのため，この隙間より室内側へ水分が浸入することを確実に防止することができる。
【００１０】
以上，本発明によれば，施工が容易であり，外観意匠性に優れ，かつ，水分の浸入を確実に防止することができる外装化粧部材の施工構造を提供することができる。
【００１１】
次に，請求項２に記載の発明のように，上記水切り部と上記本体部との間の隣接部分には，上記シーリング材を施すためのシーリング受け段部を有することが好ましい。
【００１２】
これにより，上記シーリング材を上記シーリング受け段部に充分に施すことができる。そのため，上記施工金具と建築物との間にできたわずかな隙間を確実に塞ぐことができる。そのため，室内側への水分等の浸入を一層確実に防止することができる。
なお，シーリング材は日光等により劣化しやすいので，できるだけ多く施すことが好ましい。つまり，上記段部に充分な量のシーリング材を施すことにより，該シーリング材によるシーリング効果を長期間に渡り持続させることができる。
【００１３】
次に，請求項３に記載の発明のように，上記水切り部は，その先端部分に該水切り部を内側に折り返して形成した水返し部を有することが好ましい。
これにより，確実に上記外装化粧部材に雨水等の水分が当たらないようにすることができる。そのため，外装化粧部材の耐久性を向上させることができる。
【００１４】
次に，請求項４に記載の発明のように，上記施工金具は，曲折することにより成形していることが好ましい。
これにより，上記本体部より上記支承部及び上記水切り部を容易に形成することができる。
【００１５】
次に，請求項５に記載の発明のように，上記支承部は，上記本体部を折り返すことにより成形していることが好ましい。
これにより，上記支承部の強度を大きくすることができる。そのため，確実に上記外装化粧部材を建築物に取り付けることができる。
【００１６】
【発明の実施の形態】
実施形態例１
本発明の実施形態例にかかる外装化粧部材の施工方法につき，図１〜図５を用いて説明する。
図１に示すごとく，本例における外装化粧部材１は，建築物２に対して施工金具３によって取り付けられる。
ここで，本例における建築物２は，同図に示すごとく，外壁面に施工される外壁板２１と，該外壁板２１の下地となっている胴縁２２である。また，外装化粧部材１は外壁板２１の繋ぎ目部分２１２の表面に施工される幕板である。
【００１７】
上記施工金具３は，外壁板２１及び胴縁２２に固定する本体部３１と，該本体部３１において前方上方へ突出し外装化粧部材１を支承するための支承部３２と，本体部３１の上方に設けられ外装化粧部材１の上端面１１１を覆う水切り部３３とを有している。
【００１８】
そして，施工金具３における水切り部３３と本体部３１との間の隣接部分３１０には，施工金具３と外壁板２１とのわずかな隙間２１４を塞ぐためのシーリング材４が施してある。一方，外装化粧部材１は，その裏面１２において支承部３２に支承されるための支承凹部１３を有している。
【００１９】
以下に，これを詳説する。
図２に示すごとく，上記施工金具３の本体部３１には，施工金具３を釘またはネジの固定具２４によって外壁板２１及び胴縁２２に固定するための固定穴３１１が設けてある。本体部３１の下方には，支承部３２が本体部３１を折り返すことにより形成してある。
また，施工金具３は，その長手方向には所定の断面形状を有しており，施工金具３における支承部３２及び水切り部３３は，本体部３１を曲折することにより成形してある。また，水切り部３３は，その先端部分に該水切り部３３を内側に折り返して形成した水返し部３３１を有している。
また，水切り部３３と本体部３１とにより囲まれた部分には，外装化粧部材１における上部１１を挿入するための挿入凹部３４が形成されている。
【００２０】
図３に示すごとく，上記外装化粧部材１は，押出成形により成形されるため，その長手方向には所定の断面形状を有している。つまり，支承凹部１３は，外装化粧部材１の裏面１２において連続して形成されている。
【００２１】
図１に示すごとく，外装化粧部材１及び施工金具３は外壁板２１の繋ぎ目部分２１２の表面に取り付けられている。この繋ぎ目部分２１２においては，室内側への水分の浸入を防止するためにシーリング材２３が施してある。
また，シーリング材４は，上記隣接部分３１０の外側面上に，即ち水切り部３３と外壁板２１との間にできるわずかな隙間部分２１４の上方に施されている。また，水切り部３３は，前方下方に向けて傾斜しており，上方から落ちてくる雨水等の水分を下に落とすことができるようになっている。
上記外装化粧部材１における上部１１は，上記挿入凹部３４に挿入されており，上記支承凹部１３は上記支承部３２に支承されている。
【００２２】
次に，外装化粧部材１の建築物２への施工方法について説明する。
まず，図４（ａ）に示すごとく，隣接する外壁板２１の間に形成された繋ぎ目部分２１２にシーリング材２３を施す。その後，施工金具３を，外壁板２１の表面より，その本体部３１における固定穴３１１に釘またはネジの固定具２４を打ち込むことによって建築物２に固定する。このとき，固定具２４は，外壁板２１を貫通し，胴縁２２にまで到達する。
【００２３】
次に，図４（ｂ）に示すごとく，外装化粧部材１を，その支承凹部１３を上記支承部３２に支承させるようにして施工金具３の表面より取り付ける。このとき，外装化粧部材１は，その上部１１を施工金具３の斜め下方より上記挿入凹部３４に挿入するようにして取り付ける。
そして，図５（ａ）に示すごとく，外装化粧部材１をその上部１１を中心として施工金具３側へ回転させて，支承凹部１３を支承部３２へ支承させる。
【００２４】
最後に，図５（ｂ）に示すごとく，施工金具３と外壁板２１との間におけるわずかな隙間２１４を塞ぐように，施工金具３の上方よりシーリング材４を施す。これで外装化粧部材１の施工が完了する。
【００２５】
次に，本例の作用効果につき説明する。
本例における上記施工金具３は，本体部３１から形成された支承部３２及び水切り部３３を有している。そのため，施工金具３は，本体部３１と支承部３２とによって外装化粧部材１を建築物２に取り付けることと，水切り部３３によって外装化粧部材１の上端面１１１を覆うこととの２つの役割を果たすことができる。
即ち，水切り部３３が本体部３１及び支承部３２と一体的に作られている。そのため，水切り部３３は，本体部３１を建築物２に固定することにより，同時に建築物２に固定される。それ故，それらを建築物２に容易に施工することができる。
【００２６】
また，上記外装化粧部材１は，その上部１１を上記挿入凹部３４に挿入させ，その支承凹部１３を支承部３２に支承させることにより建築物２に取り付けられる。そのため，釘等の固定具を使用することなく，外装化粧部材１を建築物２に容易に取り付けることができる。
また，釘等の固定具が外装化粧部材１の意匠表面に露出することがないので，優れた外観意匠性を呈することができる。
【００２７】
また，上記水切り部３３と本体部３１との間の隣接部分３１０には，施工金具３と建築物２との間にできたわずかな隙間２１４を埋めるようにシーリング材４を施している。そのため，この隙間２１４より室内側へ水分が浸入することを確実に防止することができる。
【００２８】
実施形態例２
本例においては，図６に示すごとく，上記施工金具３は，その水切り部３３と本体部３１との間の隣接部分３１０にシーリング材４を施すためのシーリング受け段部３５を有している。また，シーリング受け段部３５に合わせて外装化粧部材１の裏面１２における上方角部も段状に形成されている。その他は上記実施形態例１と同様である。
【００２９】
本例においては，上記シーリング材４を上記シーリング受け段部３５に充分に施すことができる。そのため，上記隙間２１４を確実に塞ぐことができる。そのため，室内側への水分等の浸入を一層確実に防止することができる。
その他，上記実施形態例１と同様の作用効果を得ることができる。
【００３０】
実施形態例３
本例においては，図７に示すごとく，上記施工金具３における本体部３１が下方に長く作られており，施工金具３を建築物２へ上下２列に配置した固定具２４により取り付けている。その他は上記実施形態例１と同様である。
【００３１】
本例においては，上記施工金具３を建築物２へ確実に固定することができる。そのため，例えば，外装化粧部材１が長手方向に長くて重量が大きい場合等に本例のような施工金具３を使用することができる。
その他，上記実施形態例１と同様の作用効果を得ることができる。
【００３２】
実施形態例４
本例においては，図８に示すごとく，上記施工金具３における支承部３２が本体部３１より折り曲げたままの状態で作られている。また，上記水切り部３３は上記水返し部３３１を有していない。その他は上記実施形態例１と同様である。
【００３３】
本例においては，上記施工金具３の形状が極めて単純になるので，該施工金具３を容易に製作することができる。そのため，例えば，施工金具３の製作費用を低減させたい場合，あるいは，外装化粧部材１が長手方向に短くて重量が小さい場合等に本例のような施工金具３を使用することができる。
その他，上記実施形態例１と同様の作用効果を得ることができる。
【００３４】
【発明の効果】
上述のごとく，本発明によれば，施工が容易であり，外観意匠性に優れ，かつ，水分の浸入を確実に防止することができる外装化粧部材の施工方法を提供することができる。
【図面の簡単な説明】
【図１】  実施形態例１における，外装化粧部材の施工方法を示す説明図。
【図２】  実施形態例１における，施工金具を示す斜視図。
【図３】  実施形態例１における，外装化粧部材を示す斜視図。
【図４】  実施形態例１における，外装化粧部材の施工方法を示す図で，（ａ）施工金具を取り付けた状態，（ｂ）外装化粧部材を取り付けている状態を示す説明図。
【図５】  実施形態例１における，外装化粧部材の施工方法を示す図で，（ａ）外装化粧部材を取り付けた状態，（ｂ）シーリング材を施した状態を示す説明図。
【図６】  実施形態例２における，外装化粧部材の施工構造を示す説明図。
【図７】  実施形態例３における，外装化粧部材の施工構造を示す説明図。
【図８】  実施形態例４における，外装化粧部材の施工構造を示す説明図。
【図９】  従来例における，外装化粧部材の施工構造を示す説明図。
【符号の説明】
１．．．外装化粧部材，
１１１．．．上端面，
１２．．．裏面，
１３．．．支承凹部，
２．．．建築物，
２１．．．外壁板，
２２．．．胴縁，
３．．．施工金具，
３１．．．本体部，
３１０．．．隣接部分，
３２．．．支承部，
３３．．．水切り部，
３３１．．．水返し部，
４．．．シーリング材，
【図１】
0003939897.tif 000002
【図２】
0003939897.tif 000003
【図３】
0003939897.tif 000004
【図４】
0003939897.tif 000005
【図５】
0003939897.tif 000006
【図６】
0003939897.tif 000007
【図７】
0003939897.tif 000008
【図８】
0003939897.tif 000009
【図９】
0003939897.tif 000010